(57)【要約】  【課題】  断熱性と遮音性、消音性に優れた太陽電池モジュール付き屋根材、及び同屋根材を使用して屋根葺き施工された住宅の太陽電池モジュール付き屋根を提供する。  【解決手段】  母屋方向に長い長方形をなし、棟側縁に一方の接合端縁３が形成され、軒側縁に他方の接合端縁４が形成され、母屋方向の両端部にも接合縁５、６が形成された屋根本体１１と、その裏面側に設けられた断熱材１０とから成り、屋根の野地板２上に載せて隣接する他の屋根材と接合して固定し葺設される屋根材１において、屋根本体１１の表側面に太陽電池モジュール１２が一体的に取り付けられている。【選択図】  【図１】
2005036604.tif 000002
【特許請求の範囲】
【請求項１】
母屋方向に長い長方形をなし、その棟側縁に実はぎを構成する一方の接合端縁が形成され、軒側縁に他方の接合端縁が形成され、母屋方向の両端部にも相互に差し込み接合する接合縁が形成された薄板金属製の屋根本体と、前記屋根本体の裏面側に設けられた樹脂発泡体等による断熱材とから成り、屋根の野地板上に載せて隣接する他の屋根材と棟側縁、軒側縁、及び母屋方向の両端部をそれぞれ接合して固定し葺設される屋根材において、
前記屋根本体の表側面に太陽電池モジュールが一体的に取り付けられていること、
太陽電池モジュールの棟側縁は、屋根本体の棟側接合端縁から軒側へ少し下がった位置に固定した横断面がコ字形状をなす支持枠のコ字形受溝部に弾性パッキンを介して支持され、軒側縁は屋根本体の軒側接合縁へ固定して軒側方向へ少し長く突き出された支持具のコ字形受溝部にやはり弾性パッキンを介して支持されていること、
屋根本体の表側面の流れ方向に厚層の細帯状に塗布した複数条の弾性接着剤により太陽電池モジュールの裏面が接着されていること、
をそれぞれ特徴とする、太陽電池モジュール付き屋根材。
【請求項２】
太陽電池モジュールに付属する端子ボックスは、屋根本体の裏面側に設けられた樹脂発泡体等による断熱材の中へ同断熱材の厚さを利用して埋め込み設置され、前記端子ボックスから引き回されるコネクタ付きケーブルは前記断熱材が切除された軒側の屋根本体裏面空間を利用して配線されていることを特徴とする、請求項１に記載した太陽電池モジュール付き屋根材。
【請求項３】
太陽電池モジュールの棟側縁を支持する横断面がコ字形状をなす支持枠のコ字形受溝部を形成するウエブに、空気及び雨水を流通させる通孔が複数設けられていることを特徴とする、請求項１又は２に記載した太陽電池モジュール付き屋根材。
【請求項４】
屋根本体の裏面側に設けられる樹脂発泡体等による断熱材は、屋根本体の裏面へ一体的に成形して、又は別体として成形したものを接着して一体的に設けられ、又は別体として成形したものが裏打材として設けられていることを特徴とする、請求項１〜３のいずれか一に記載した太陽電池モジュール付き屋根材。
【請求項５】
請求項１〜４に記載した太陽電池モジュール付き屋根材を住宅の屋根における陽当たりの良い南面側の全面に、又は太陽電池モジュールを具備しない通常の屋根材と組み合わせて部分的に葺いて成ることを特徴とする、太陽電池モジュール付き屋根。
【発明の詳細な説明】
【技術分野】
【０００１】
この発明は、一般の戸建て住宅等の屋根葺きに使用される薄板金属製屋根材、特に断熱性と遮音性、消音性に優れた構成の太陽電池モジュール付き屋根材、及び同屋根材を使用して屋根葺き施工された住宅の太陽電池モジュール付き屋根の技術分野に属する。
【背景技術】
【０００２】
従来、一般の戸建て住宅等の屋根葺きに使用される薄板金属製の屋根材、及びこれを使用して施工された住宅の屋根は種々公知、周知に属する（例えば下記の特許文献１、２を参照）。
特許文献１は本特許出願人の出願に係るもので、該文献１に開示された断熱屋根材は、母屋方向に長い長方形をなし、その棟側縁に実はぎを構成する一方の接合端縁（雄端縁）が形成され、軒側に他方の接合端縁（雌端縁）が形成され、更に母屋方向の両端部にも相互に差し込み接合する接合縁が形成された薄板金属製の屋根本体と、前記屋根本体の裏面側へ一体的に設けられた、例えばポリウレタンフォームの如き樹脂発泡体等による断熱材とから成る横葺き屋根材である。屋根の野地板上に載せて順次隣接する他の屋根材と棟側縁、軒側縁、及び母屋方向の両端部をそれぞれ接合し、棟側の釘打ち面部を釘で固定して葺設されるものである。
【０００３】
近年、地球環境保全の観点からクリーンエネルギーの利用が多様に試みられ、風力発電装置と共に、住宅の屋根等を利用した太陽光発電システムの普及と将来性に大きな期待が寄せられている。
太陽電池モジュール付きの屋根材、及びこれを使用して施工された住宅の太陽電池モジュール付き屋根も種々公知である。
ちなみに図５は、一般住宅Ａの屋根に太陽電池モジュールＢを備えた太陽光発電システムの実施要領図を示している。屋根の太陽電池モジュールＢは、発生した直流電力を導くケーブルＣで接続箱Ｄと接続されている。前記接続箱Ｄから導かれた直流電力を交流電力に変換するパワーコンディショナー（インバータ）Ｅ、および商用の電力系統と接続される住宅用分電器Ｆ、そして、商用電力系統から入る電力、及び余って商用電力系統へ送られる電力をそれぞれ計測する積算電力量計Ｇとで構成されている。
【０００４】
従来、一般住宅の屋根に太陽電池モジュールを設備する手段としては、例えば瓦屋根等の上に専用の下地を組み立て、その上に枠付きの太陽電池モジュールを設置する手法が多く実施されている（例えば特許文献３、４）。
最近では、例えば特許文献５に開示された太陽電池付き屋根材及び屋根のように、薄板金属製屋根本体の表面に太陽電池モジュールを直接一体的に取り付け、裏面に断熱材を設けた構成も提案されている。
また、特許文献８に開示された太陽電池一体型の屋根材は、やはり横葺き屋根材の薄板金属製屋根本体の表面に太陽電池モジュールを一体的に取り付け、太陽電池モジュール裏面の端子ボックスは、薄板金属製屋根本体のほぼ中央部に設けた開口部から裏面側へ臨ませた構成である。
【０００５】
【特許文献１】特開２００２−３８６５８号公報
【特許文献２】実開昭５９−１０２７２２号公報
【特許文献３】特許第３４１０９１５号公報
【特許文献４】特許第３３９２０１４号公報
【特許文献５】特開平１０−１３１４４３号公報
【特許文献６】特開平１１−１２４９７７号公報
【特許文献７】特開２００１−２５４４９３号公報
【特許文献８】特開２００１−１８２２３４号公報
【発明の開示】
【発明が解決しようとする課題】
【０００６】
上記特許文献１及び２に開示された屋根材は、断熱性と遮音性、消音性に優れてはいるけれども、太陽電池モジュールは具備していない。
特許文献３及び４に開示されたように、屋根の上に専用の下地を組み立て、その上に枠付きの太陽電池モジュールを設置する構成の場合は、太陽電池モジュールの設置作業が大変面倒で、高度な設備技術を必要とする上に、故障した太陽電池モジュールを交換するような場合には全体の改造作業を行うほかないという問題がある。
上記特許文献５〜８に開示された屋根材及び屋根は、それぞれ太陽電池モジュールを具備し、住宅等の屋根を利用した太陽光発電システムの実現と利用に寄与するものであることは認められる。
しかし、例えば特許文献５に開示された屋根材は、薄板金属製屋根本体の表面に太陽電池モジュールを一体的に取り付け、裏面に断熱材を設けた構成であること（技術的思想）は認められるけれども、一体どのような手段、構造で太陽電池モジュールが薄板金属製の屋根本体へ一体的に取り付けられ、そして、住宅の屋根へは一体どのような手段、手法で葺くことができるのかの構成が、いわゆる当業者がその実施をできる程度に充分明確に開示されていない。屋根材を住宅の屋根へ葺くについては、いわゆる１０年保証の問題をクリヤーする必要があり、雨漏りさせない止水性の確保や、強風で飛ばされないだけの構造的安定性と定着性を達成し、それでいて屋根葺き作業が容易で作業性の良いこと等々が望まれるところ、特許文献５にはこれらに対する対策、解決策は一切見当たらない。特許文献６の開示技術についても同様のことがいえる。
【０００７】
特許文献７、８に開示された屋根材は、屋根材の割付構造を考慮して、太陽電池モジュールの発電面積を広げること、そして、屋根の仕上がり外観（意匠性）を整えることに苦心していることは認められる。しかし、開示された屋根材は薄板金属製の屋根本体のみから成り、断熱材を持たない構成なので、断熱性と遮音性、消音性に難があり、一般住宅の屋根用としては適さないものと認められる。また、住宅の屋根へ葺く手段、手法についても、当業者がその実施をできる程度に充分明確に開示されていない。
【０００８】
本発明の目的は、例えば特許文献１等に記載して公知である横葺き屋根材の構成を前提として、この屋根材に太陽電池モジュールを一体化させ、住宅等の屋根を利用した太陽光発電システムを実現する屋根材、及びこの屋根材を使用して葺いた太陽電池モジュール付き屋根を提供することである。
本発明の次の目的は、既に屋根材としての施工性や構造的安定性、そして、屋根葺き作業の能率化に充分な実績があり、また、一般住宅用として必要な断熱性と遮音性、消音性を備えた上で、更に住宅等の屋根を利用した太陽光発電システムを実現することに有用な太陽電池モジュール付き屋根材、及び同屋根材を使用して葺いた太陽電池モジュール付き屋根を提供することである。
【課題を解決するための手段】
【０００９】
上述した従来技術の課題を解決するための手段として、請求項１に記載した発明に係る太陽電池モジュール付き屋根材は、
母屋方向に長い長方形をなし、その棟側縁に実はぎを構成する一方の接合端縁３が形成され、軒側縁に他方の接合端縁４が形成され、母屋方向の両端部にも相互に差し込み接合する接合縁５、６が形成された薄板金属製の屋根本体１１と、前記屋根本体１１の裏面側に設けられた樹脂発泡体等による断熱材１０とから成り、屋根の野地板２上に載せて隣接する他の屋根材と棟側縁、軒側縁、及び母屋方向の両端部をそれぞれ接合して固定し葺設される屋根材１において、
前記屋根本体１１の表側面に太陽電池モジュール１２が一体的に取り付けられていること、
太陽電池モジュール１２の棟側縁は、屋根本体１１の棟側接合端縁３から軒側へ少し下がった位置に固定した横断面がコ字形状をなす支持枠１３のコ字形受溝部１３ａに弾性パッキン１４を介して支持され、軒側縁は屋根本体１１の軒側接合端縁４へ固定して軒側方向へ少し長く突き出された支持具１５のコ字形受溝部１５ａにやはり弾性パッキン１４を介して支持されていること、
屋根本体１１の表側面の流れ方向に厚層の細帯状に塗布した複数条の弾性接着剤１６により太陽電池モジュール１２の裏面が接着されていること、をそれぞれ特徴とする。
【００１０】
請求項２に記載した発明は、請求項１に記載した太陽電池モジュール付き屋根材において、
太陽電池モジュール１２に付属する端子ボックス１７は、屋根本体１１の裏面側に設けられた樹脂発泡体等による断熱材１０の中へ同断熱材の厚さを利用して埋め込み設置され、前記端子ボックス１７から引き回されるコネクタ付きケーブル１８は前記断熱材１０が切除された軒側の屋根本体裏面空間１９を利用して配線されていることを特徴とする。
【００１１】
請求項３に記載した発明は、請求項１又は２に記載した太陽電池モジュール付きの屋根材において、
太陽電池モジュール１２の棟側縁を支持する横断面がコ字形状をなす支持枠１３のコ字形受溝部１３ａを形成するウエブ１３ｃに、空気及び雨水を流通させる通孔１３ｄが複数設けられていることを特徴とする。
【００１２】
請求項４に記載した発明は、請求項１〜３のいずれか一に記載した太陽電池モジュール付き屋根材において、
屋根本体１１の裏面側に設けられる樹脂発泡体等による断熱材１０は、屋根本体１１の裏面へ一体的に成形して、又は別体として成形したものを接着して一体的に設けられ、又は別体として成形したものが裏打材として設けられていることを特徴とする。
【００１３】
請求項５に記載した発明に係る太陽電池モジュール付き屋根は、
請求項１〜４に記載した太陽電池モジュール付き屋根材１を住宅の屋根における陽当たりの良い南面側の全面に、又は太陽電池モジュールを具備しない通常の屋根材と組み合わせて部分的に葺いて成ることを特徴とする。
【発明の効果】
【００１４】
請求項１〜４に記載した発明に係る太陽電池モジュール付き屋根材は、既に公知で実施の実績が豊富にある横葺き屋根材の構成を前提として、この屋根材に太陽電池モジュールを一体化させたので、一般住宅の屋根材として重要な断熱性と遮音性、消音性を備えることはもとより、屋根葺き作業の施工性、及び屋根材としての構造的安定性等々に優れ、住宅等の屋根を利用した太陽光発電システムの実現に大きく寄与する。
また、請求項５に記載した発明に係る太陽電池モジュール付き屋根は、住宅等の屋根を利用した太陽光発電システムを実現するので、クリーンエネルギーの提供、及び地球環境の保全に寄与することは勿論のこと、太陽電池モジュールをもたない屋根材との自由な組み合わせ（割付）により、太陽発電面積の自由な設定や変更、或いは故障した太陽電池モジュールの交換等の保守を極めて容易に行うことができる。
【発明を実施するための最良の形態】
【００１５】
本発明に係る太陽電池モジュール付き屋根材は、棟側縁に実はぎを構成する一方の接合端縁が形成され、軒側縁に他方の接合端縁が形成され、母屋方向の両端部にも相互に差し込み接合する接合縁が形成された薄板金属製の屋根本体と、前記屋根本体の裏面側に設けられた樹脂発泡体等による断熱材とから成り、屋根の野地板上に載せて隣接する他の屋根材と棟側縁、軒側縁、及び母屋方向の両端部をそれぞれ接合して固定し葺設される屋根材の前記屋根本体の表側面に太陽電池モジュールを一体的に取り付けた構成で好適に実施される。
太陽電池モジュールの棟側縁は、屋根本体の棟側接合端縁に沿って固定した支持枠のコ字形受溝部に弾性パッキンを介して支持され、軒側縁は屋根本体の軒側接合端縁へ固定して軒側方向へ少し長く突き出された支持具のコ字形受溝部にやはり弾性パッキンを介して支持され、太陽電池モジュールは軒側方向へすこし長く突き出したオーバーハング形態とされる。屋根本体の表側面の流れ方向に厚層の細帯状に塗布した複数条の弾性接着剤により太陽電池モジュールの裏面が接着され、薄板金属製の屋根本体の表面との間に弾性接着剤の層厚分（１mm乃至２mm程度）だけ隙間をあけて支持され、前記の隙間を通じて空気及び雨水を流通させることが可能である。断熱材は屋根本体の裏面へ一体的に設ける場合のほか、別体の裏打材として設けた構成でも実施される。
【００１６】
本発明に係る太陽電池モジュール付き屋根は、公知の屋根材に太陽電池モジュールを一体化させた太陽電池モジュール付き屋根材によって太陽光が当たる南面側屋根の全面を、又は必要に応じて太陽電池モジュールを持たない屋根材とを組み合わせた自由な割付で屋根を葺く。
【実施例１】
【００１７】
図１は、請求項１に記載した発明に係る太陽電池モジュール付き屋根材１により住宅の屋根を葺いた実施例を示している。図１中の符号２は屋根の野地板を指している。
屋根材１は、母屋方向（図１の紙面と垂直な方向）に長い長方形をなし（図３）、その棟側縁に実はぎを構成する一方の接合端縁３（雌端縁）が形成され、軒側縁に他方の接合端縁４（雄端縁）が形成され、更に母屋方向の両端部にも相互に差し込み接合する接合縁５、６が形成された厚さ０．８mm程度の薄板金属製の屋根本体１１と、前記屋根本体１１の裏面側に設けられたウレタンフォーム、ポリイソシアヌレートフォーム、フェノール等の樹脂発泡体による断熱材１０とで構成されている。通例は前記断熱材１０を屋根本体１１の裏面へ一体成形する型枠代用の裏面材として、アルミニウム箔ラミネート紙、アルミニウム蒸着紙、アルミニウム箔、スチールペーパー等が使用される。但し、場合によってはポリスチレン、ポリエチレン、塩化ビニール、フェノール、ポリウレタン等の樹脂発泡体を別体として成形した断熱材を裏打材として使用する実施例もある（請求項４記載の発明）。屋根本体１１を形成する薄板金属版としては、塗装亜鉛メッキ鋼板、塗装アルミニウム亜鉛合金メッキ鋼板、塗装ステンレス鋼板、塩化ビニル鋼板、塗装アルミニウム板、銅板などが使用される。
この屋根材１は、住宅の屋根を構成する野地板２の上に載せ、隣接する他の屋根材と図１及び図４に示したように、棟側の接合端縁３と軒側の接合端縁４、及び母屋方向両端の接合縁５、６をそれぞれ接合した上で、棟側縁の一部をなす釘打ち面部３ｂを釘８により固定して葺設される。前記の断熱材１０が当該屋根材１の意匠的な厚み感、立体感をもたらすと共に、断熱性と遮音性、消音性を付与する。
【００１８】
当該屋根材１における棟側の接合端縁３は、図１で明らかなように、薄板金属板を上向きのコ字形状に折り返して雌端縁３ａを形成し、再び折り返した後、Ｚ形状に折り曲げて野地板２の上面に接する釘打ち面部３ｂが形成され、更にその先端縁を上向きのフック形状に折り返して水返し３ｃが形成されている。
他方、軒側の接合端縁４は、下向きに鈍角に折り曲げて、下方から見上げた場合に厚みを感得させるやや幅広の俯仰傾斜面４ｂを形成した上で、棟側へ折り返して雄端縁４ａが形成されている。
従って、屋根の流れ方向の上下に隣接する二つの屋根材１、１は、図１に例示したように、先行して葺かれ釘打ち面部３ｂを野地板２へ釘８で固定した下段の屋根材１の雌端縁３ａへ、上段の屋根材１の雄端縁４ａを差し込みきっちり接合した上で、同屋根材１の釘打ち面部３ｂを野地板２へ釘８で固定する手順で屋根葺きが進められる。
【００１９】
一方、母屋方向の両端部に形成された相互に差し込み接合される接合縁５、６は、図４に示すように構成されている。図４は、当該横葺き屋根材１が左から右方向への順序で屋根葺き作業を進められること、そして、接合縁５が接合縁６の上（外側）へ重ねられた形で相互の差し込み接合が行われる構成であることを示している。
そのため接合縁５には、上記した差し込み代Ｌ０の範囲に限り、コ字形状をなす雌端縁３ａの上縁部を切除して先細形状とした差し込み誘導部７が形成されている。この差し込み誘導部７が、図４中左側の接合縁６におけるコ字形状をなす雌端縁３ａの溝内へスムーズに進入して差し込み接合を容易ならしめる。前記の差し込み接合を前提として、図４中右側の接合縁５においては、断熱材１０の左端部が、前記の差し込み代Ｌ０よりも少し大きい範囲Ｌ２まで切除されている。他方、同左側の接合縁６には、少なくとも前記の差し込み代Ｌ０の範囲内に、雨仕舞い処理として、流れ方向に筋状をなす雨水誘導部８が金属板の絞り加工による凹凸面状に形成されている。図示することはしないが、右側の接合縁５には、下向きに小さく折り曲げた水返しも形成されている。この屋根材１の屋根本体１１は、薄板金属板をロール成形法又はプレス成形法により加工して製作される。屋根本体１１の大きさの一例を示すと、棟側から軒側への幅寸が２５０〜４００mm、長さは１８００mm程度である。
【００２０】
上記のように形成された屋根本体１１の表側面に、太陽電池モジュール１２が一体的に取り付けられている。但し、屋根本体１１の形状、構造、及び大きさなどを上記のものに限定する意味ではない。所謂屋根材を構成する薄板金属製の屋根本体の一例を具体的に説明したにすぎない。
太陽電池モジュール１２の具体的な取り付け構造として、太陽電池モジュール１２の棟側縁は、屋根本体１１の棟側接合端縁３から軒側へ少し下がった位置に固定した横断面がコ字形状をなす支持枠１３のコ字形受溝部１３ａにゴム製の弾性パッキン１４を介して支持されている。他方の軒側縁は、屋根本体１１の軒側接合端縁４である俯仰傾斜面４ｂの外面へ固定して軒側方向へ少し長く突き出された支持具１５のコ字形受溝部１５ａにやはり弾性パッキン１４を介して支持されている。
更に、屋根本体１１の表側面の長手方向に適度な間隔を開けて流れ方向に厚層の細帯状に塗布した複数条の弾性接着剤１６により、太陽電池モジュール１２の裏面が屋根本体１１に接着され完全に一体化されている（以上請求項１記載の発明）。
【００２１】
ここで言う太陽電池モジュール１２とは、既に公知、周知である通り、複数の太陽電池セルを縦、横に整列して平板状に並べ、インターコネクタ等により直列又は並列に配線接続したものを、上面側は透明樹脂製のパッキンシート及び白板強化ガラス板で覆い、裏面側もやはりパッキンシートと耐候性フィルムで覆い、薄い矩形板状の太陽電池集合体に形成したもの等を指す。周辺枠等は必要でなく具備しない。
図３、４に示す実施例の場合、屋根本体１１と太陽電池モジュール１２の左端縁はそれぞれ、平面的に見て同一縁に形成されている。しかし、太陽電池モジュール１２の右端縁は、屋根本体１１の右端縁よりも上記した差し込み接合代Ｌ０よりも少し大きい寸法Ｌ３だけ左方へ引っ込んだ形態とされている。上述したように隣接する屋根材１、１は母屋方向両端の接合縁５、６をそれぞれ差し込み接合するためである。必然、上記の支持枠１３の右端も、太陽電池モジュール１２の右端縁と同一位置とされている。
したがって、図４のように隣接する二つの屋根材１、１の母屋方向両端の接合縁５、６を差し込み接合することが許容される。そして、差し込み接合した結果として、隣接する二つの太陽電池モジュール１２、１２の端部は相互にほぼ突き合わせ状態に近い状態となり、屋根の発電面積を有効活用することができる。
【００２２】
太陽電池モジュール１２の棟側縁及び軒側縁の取り付け構造に関しても、同様に発電面積の有効活用に配慮がなされている。
即ち、図１で明らかな通り、太陽電池モジュール１２の棟側縁は、屋根本体１１の棟側接合端縁３から軒側へ少し下がった位置に固定した支持枠１３のコ字形受溝部１３ａに支持されているが、軒側縁は、屋根本体１１の軒側接合端縁４へ固定して軒側方向へ少し長く突き出された支持具１５のコ字形受溝部１５ａに、所謂オーバーハング状に支持されている。
したがって、図１に示すように屋根葺き施工した場合には、上段の屋根材１に支持された太陽電池モジュール１２の軒側縁がオーバーハングしているが故に、下段の屋根材１に支持された太陽電池モジュール１２の棟側縁が棟側接合端縁３から軒側へ少し下がった位置に支持されていることを丁度補完する形になり、屋根の発電面積の有効活用が図られている。つまり、太陽電池モジュール１２の軒側のオーバーハング量Ｓは、前記補完に相当な大きさに設計されている。前記の構成であるから、屋根材１を屋根に葺く作業において、釘打ち面部３ｂに釘８を打って固定する作業を容易に行える。
【００２３】
太陽電池モジュール１２の棟側縁を支持する支持枠１３は、図２Ａに示したように均等断面の長尺材で、下側のフランジ１３ｅが少し幅広の形態とされ、同下側フランジ１３ｅには適当な間隔をあけて、シールタイプのリベット止めを行う為の下孔１３ｂが複数設けられ、その位置がシールタイプリベット２０により屋根本体１１と強固に結合されている。前記支持枠１３のコ字形受溝部１３ａを形成するウエブ１３ｃの長手方向には、空気及び雨水を流通させるのに適切な大きさ、ピッチで複数の通孔１３ｄ…が設けられている（請求項３記載の発明）。上記したように、屋根本体１１の表側面の長手方向に適度な間隔を開けて流れ方向に塗布した厚層で細帯状の複数条の弾性接着剤１６により太陽電池モジュール１２の裏面が屋根本体１１に接着されているが、弾性接着剤１６の部位以外では太陽電池モジュール１２の裏面は屋根本体１１の表面との間に弾性接着剤１６の層厚（１mm〜２mm程度）の隙間を生じており、同隙間を通じて空気や雨水が流通し得る。よって、この隙間は、建物の屋根に不可避的な、太陽光による太陽電池モジュール１２の高温化によるエネルギ変換効率の低下を防止する冷却手段として重要な存在である。支持枠１３のコ字形受溝部１３ａを形成するウエブ１３ｃの長手方向に設けた前記の通孔１３ｄ…は、前記隙間内の空気及び雨水の流通を積極的に高めることに役立つ。また、強風時などにオーバーハングした太陽電池モジュール１２の軒側縁の下側へ潜り込み内方へ吹き込んだ雨水を、速やかに前記隙間を通じて流下させることにも役立つなど、雨仕舞い処理の面でも有意義である。
【００２４】
他方、太陽電池モジュール１２の軒側縁をオーバーハング状態に支持する支持具１５は、やはり図２Ｂに示したように、屋根本体１１の軒側接合端縁４へ固定して軒側方向へ少し長く突き出されたコ字形受溝部１５ａを有する構成であり、細幅の帯板材の加工品として構成され、屋根材の母屋方向に間隔を開けて複数個使用されているが、この限りではない。上記の支持枠１３と同様な長尺材として実施することもできる。逆に、棟側縁を支持する支持枠１３を、支持具１５と同様な短尺材として実施することもできる。符号１５ｂはリベット下孔である。
【００２５】
太陽電池モジュール１２に付属する端子ボックス１７は、図１に示したように、屋根本体１１の裏面側に設けられた断熱材１０の中へ同断熱材１０の厚さを利用して埋め込み設置される。そして、前記端子ボックス１７から引き回されるコネクタ付きの出力ケーブル１８は、前記断熱材１０が切除された軒側の屋根本体裏面空間１９を利用して効率よく配線される（請求項２記載の発明）。
【図面の簡単な説明】
【００２６】
【図１】本発明に係る太陽電池モジュール付き屋根材の屋根葺き状態を示す断面図である。
【図２】Ａは太陽電池モジュールの棟側縁を支持する支持枠を示した斜視図、Ｂは太陽電池モジュールの軒側縁をオーバーハング状態に支持する支持具の斜視図である。
【図３】本発明に係る太陽電池モジュール付き屋根材の実施例を示す平面図である。
【図４】本発明に係る太陽電池モジュール付き屋根材の母屋方向の差し込み接合要領を示す斜視図である。
【図５】住宅の屋根を利用した太陽光発電システムの実施要領図である。
【符号の説明】
【００２７】
１        屋根材
２        野地板
３、４    接合端縁
５、６    接合縁
１１      屋根本体
１０      断熱材
１２      太陽電池モジュール
１３      支持枠
１４      弾性パッキン
１５      支持具
１６      弾性接着剤
１７      端子ボックス
１８      出力ケーブル
１９      屋根本体裏面空間
【図１】
2005036604.tif 000003
【図２】
2005036604.tif 000004
【図３】
2005036604.tif 000005
【図４】
2005036604.tif 000006
【図５】
2005036604.tif 000007